(57)【要約】【課題】スプーン型ルアーに接続することで、全体が蛇行したアクションを形成して、あたかも生物が動くように、自然なアクションで動かすことができるスプーン型ルアー用の釣り針を提供するものである。【解決手段】可撓性のある芯材１を半分に屈曲させ、伸展側をフックＦの針軸３に糸状物２で結束固定し、屈曲側にスプリットリング９ｂを介してスプーン８と接続するためのループ５を設置し、軽量で流線型なボディー７を芯材１に貫通状態を保持させていることを特徴とするスプーン型ルアー用の釣り針。【選択図】図１
2016140350.tif 000002
【特許請求の範囲】
【請求項１】
可撓性のある芯材（１）を半分に屈曲させ、伸展側（Ｅ）をフック（Ｆ）の針軸（３）に糸状物（２）で結束固定し、屈曲側（Ｂ）にスプリットリング（９ｂ）を介してスプーン（８）と接続するためのループ（５）を設置したスプーン型ルアー用の釣り針であって、スプーン（８）の揺動に合わせて、上下左右方向に容易に揺動させることができるように、前方から後方へ向かい形状を小さくする流線型で軽量なボディー（７）を芯材（１）に貫通状態を保持させていることを特徴とするスプーン型ルアー用の釣り針。
【発明の詳細な説明】
【技術分野】
【０００１】  本発明は、魚釣りに用いる金属製スプーン型ルアーの釣り針に関するものである。
【背景技術】
【０００２】  上記のような金属製スプーン型ルアーの釣り針として、本発明者は、釣り針のアイ付近の軸に、スプーンの動きを妨げない軽量材質で形成されたボディーを装着したことを特徴とする金属製スプーン型ルアーの釣り針（特願２０１４−５５５２６号）を出願しました。この発明は、スプーン本体に対して、釣り針のボディー部が左右揺動することになり、全体が蛇行したアクションを形成して、あたかも生物が動くように、自然な動きで動かすことができるものである。
【発明の概要】
【発明が解決しようとする課題】
【０００３】  上記の特願２０１４−５５５２６号に記載された金属製スプーン型ルアーの釣り針は、ボディーを装着することのために針軸を長くした、このとこにより、釣り針自体の自重を重くしてしまい、水流抵抗の少ない場合には、動きが緩慢になりやすかった。
本発明は、以上の問題点を解決するために改良されたものである。
【課題を解決するための手段】
【０００４】  可撓性のある芯材を釣り針の針軸に糸状物で結束させ、この芯材に流線型で軽量な材質で形成されたボディーを貫通させる。
以上の構成からなる金属製スプーン型ルアーの釣り針。
【発明の効果】
【０００５】  本発明によれば、出願人の特願２０１４−５５５２６号と比較して、釣り針の針軸の全長を短くでき、軽量で可撓性のある芯材を使用することで、釣り針全体の軽量化を図ることが可能となります。これにより、少ないアクションや水流抵抗でも大きな左右揺動が可能となります。【０００６】  また、ルアー本体と釣り針を繋ぐ部分に、可撓性のある芯材を使用したことで、出願人の特願２０１４−５５５２６号と比較して、屈曲する箇所が多くなり、釣り針の動きにより柔軟さと屈曲性を与えることができ、より自然なアクションを演出することが可能となります。【０００７】  さらに、可撓性のある芯材をルアー本体と釣り針の間に配置することで、魚が釣り針にかかった時に負荷される力を減衰することが可能となり、魚がかかっても外れにくく、ヒット率を高めることが可能となります。
【図面の簡単な説明】
【０００８】
【図１】本発明の斜視図
【図２】本発明を分解した斜視図
【図３】本発明の製作過程を示した斜視図１
【図４】本発明の製作過程を示した斜視図２
【図５】本発明の側面図
【図６】本発明が揺動する状態図
【図７】本発明のボディーをナツメ型にした斜視図
【発明を実施するための形態】
【０００９】  以下、本発明の実施の形態を説明する。
（イ）  図３に示すように、可撓性のある芯材（１）を半分に屈曲させ、芯材（１）の伸展側（Ｅ）をフック（Ｆ）のストレート部分である針軸（３）に宛がい、糸状物（２）で巻きつけていき、針軸（３）の一端で引き絞り結びで結束後、接着剤にて固定する。
（ロ）  この場合の糸状物（２）は、スレッドと呼ばれるしなやかで強くて、縒りがしっかりしている糸を用いるのが望ましい。
（ハ）  芯材（１）は、曲げたわめることが可能で、柔軟で変形しやすい、可撓性のある芯材（１）を使用することで、スプリットリング（９ｂ）の箇所に加え、ボディー（７）とフック（Ｆ）との間にも折れ曲がり箇所ができます。このことで水の抵抗を受けてスプーン（８）が揺動するときに、頭部のスプーン（８）側に比べて尾部のフック（Ｆ）側の折れ曲がり幅が大きくなる。
（ニ）  図４に示すように、先端にフック（Ｈ）を有する鈎針状針金（Ｗ）を、ボディー（７）の貫通孔（６）に通し、芯材（１）にできたループ（５）を引っ掛けて抜くことで、芯材（１）をボディー（７）の貫通孔（６）に貫通させる。
（ホ）  ボディー（７）の貫通孔（６）の直径は、芯材（１）の２つ折りの太さと同程度であり、ボディー（７）は、芯材（１）と接着させずに、貫通状態を保持させている。
（ヘ）  図６に示すように、ボディー（７）は、スプーン（８）が左右に揺動することに従って、小魚の尾や昆虫の足や尻尾を振るように動く動作を表現している。この為、ボディー（７）は、スプーン（８）から物体表面に沿う流線が続くように、前方から後方へ向かい形状を小さくしていくことが望ましい。また、スプーン（８）の左右の揺動の負担や妨げない為にも、ボディー（７）の材質は、プラスチック材、発泡材、バルサ材などで形成されていることが望ましい。
（ト）  例えば、ボディー（７）の形状は、図１に示すような瓢箪型のみならず、図７に示すようにナツメ型であったり、球状や楕円球状であったりしても良い。また、ボディー（７）は複数個連結されても良い。さらに、ボディー（７）は、スプーン（８）に合わせて彩色が施されても良い。
（チ）  本発明は、芯材（１）の屈曲側（Ｂ）にできたループ（５）とスプリットリング（９ｂ）を介してスプーン（８）に接続される。さらに、スプーン（８）は、スプリットリング（９ａ）を介してライン（Ｌ）と接合され、ルアーフィッシングに使用される。
（リ）  前記、スプーン（８）は、プレートから形成されたボディーが凹凸形状に湾曲を施され、凹部（１０）の抵抗面に当った水流が左右に逃れようとする力や、凹部（１０）や凸部（１１）に流れる水流の速さの違いから、ボディーがバランスを崩すことで、ボディーを左右に揺動することを特徴とする。
本発明は以上のような構造である。
【００１０】  本発明を使用するときは、図１に示すように、スプーン（８）にスプリットリング（９ｂ）を介して接続します。さらに、ライン（Ｌ）とスプーン（８）とをスプリットリング（９ａ）を介して接続させて、ルアーフィッシングに使用します。
リールを用いてスプーン（８）の巻き取りを開始すると、スプーン（８）の凹部（１０）に当った水流が左右に逃がす力や、凹部（１０）と凸部（１１）に流れる水流の速さの違いからバランスを崩すことにより、スプーン（８）は左右に揺動をします。このスプーン（８）にスプリットリング（９ｂ）を介して接続された本発明のスプーン型ルアー用の釣り針は、スプーン（８）に追随するように、左右にクネクネと大きなアクションを見せて、あたかも生物が動くような自然な動きで、魚に対して大きく強くアピールします。
【００１１】  本発明は、本出願人の特願２０１４−５５５２６号の構造を改良したことにより、針軸（３）の全長を短くでき、軽量で可撓性のある芯材（１）を代替することで、全体の軽量化を図ることが可能となり、このことにより、少ないアクションや水流抵抗でも大きな左右揺動が可能となります。
また、可撓性のある芯材（１）を用いたことにより、本発明の動きに、柔軟さと屈曲性をさらに与えることができ、よりクネクネとした自然なアクションを演出することが可能となります。
さらに、この可撓性のある芯材（１）により、魚が釣り針にかかった時に負荷される力を減衰することが可能となり、魚がかかっても外れにくく、ヒット率を高めることが可能となります。
前記以上のことから、本発明により、さらなる集魚効果とヒット率の両方を高めることが可能となりました。
【符号の説明】
【００１２】１芯材、２糸状物、３針軸、４針先、５ループ、６貫通孔、７ボディー、８スプーン
９（ａ〜ｂ）スプリットリング、１０凹部、１１凸部、Ｌライン、Ｆフック
Ｗ鈎針状針金、Ｈフック、Ｅ伸展側、Ｂ屈曲側
【図１】
2016140350.tif 000003
【図２】
2016140350.tif 000004
【図３】
2016140350.tif 000005
【図４】
2016140350.tif 000006
【図５】
2016140350.tif 000007
【図６】
2016140350.tif 000008
【図７】
2016140350.tif 000009